(57)【特許請求の範囲】
【請求項１】
捕獲部と隔離部とを有し、
前記捕獲部は、動物を収容可能な透光性の捕獲室と、外部への脱出を阻止する外部から前記捕獲室への動物の進入口とを有し、
前記隔離部は、動物を収容可能な遮光性の収容室と、前記捕獲室への後退を阻止する前記捕獲室から前記収容室への動物の収容口とを有し、
前記捕獲室および前記収容室はネット状であって、前記進入口は内部側口径が外部側口径より小さく窄まったネット状の筒体から成り、前記収容口は収容室側口径が捕獲室側口径より小さく窄まったネット状の筒体から成り、水中に設置されることを、
特徴とする動物捕獲装置。
【請求項２】
前記収容室は前記捕獲室の下部に隣接して設けられていることを、特徴とする請求項１記載の動物捕獲装置。
【請求項３】
前記捕獲室は前記収容室の側部に隣接して設けられていることを、特徴とする請求項１記載の動物捕獲装置。
【請求項４】
前記捕獲室の内部に定期的に給餌する自動給餌装置を有することを、特徴とする請求項１，２または３記載の動物捕獲装置。
【発明の詳細な説明】
【技術分野】
【０００１】
本発明は、アメリカザリガニその他の動物を捕獲するための動物捕獲装置に関する。
【背景技術】
【０００２】
アメリカザリガニは、生態系に極めて深刻な影響を与えるため、環境省と農水省が作成したわが国の生態系等に被害を及ぼすおそれのある外来種リストによって緊急対策外来種に指定されており、駆除が求められている。
従来、ブリキから成る筒状の基体に、出入口を有する網筒体を取り付けて成り、暗い所を好む魚類を捕獲する魚類捕獲装置が開示されている（例えば、特許文献１参照）。
【先行技術文献】
【特許文献】
【０００３】
【特許文献１】実開平６−３１４５２号公報
【発明の概要】
【発明が解決しようとする課題】
【０００４】
しかしながら、特許文献１記載の魚類捕獲装置では、捕獲された魚類が内部の餌を食べ尽くしてしまうため、餌に誘引される外部からの新たな獲物を捕獲しにくくなるという課題があった。また、アメリカザリガニの場合、捕獲装置内が高密度になると進入尾数が減少し、捕獲効率が悪くなるという課題があった。
【０００５】
本発明は、このような課題に着目してなされたもので、外部から新たな獲物を集めやすく、高密度収容が可能となり、捕獲効率が良好な動物捕獲装置を提供することを目的としている。
【課題を解決するための手段】
【０００６】
上記目的を達成するために、本発明に係る動物捕獲装置は、捕獲部と隔離部とを有し、前記捕獲部は、動物を収容可能な透光性の捕獲室と、外部への脱出を阻止する外部から前記捕獲室への動物の進入口とを有し、前記隔離部は、動物を収容可能な遮光性の収容室と、前記捕獲室への後退を阻止する前記捕獲室から前記収容室への動物の収容口とを有し、前記捕獲室および前記収容室はネット状であって、前記進入口は内部側口径が外部側口径より小さく窄まったネット状の筒体から成り、前記収容口は収容室側口径が捕獲室側口径より小さく窄まったネット状の筒体から成り、水中に設置されることを、特徴とする。
【０００７】
本発明に係る動物捕獲装置では、捕獲室に餌を入れ、進入口を通して動物を外部から捕獲室内に誘引する。捕獲室内に餌がなくなると、暗い場所を好む習性をもつ捕獲室内の動物は内部が暗い収容室に移動する。捕獲室に再び餌を入れれば、外部から新たに動物を捕獲室内に誘引することができる。これを繰り返すことにより、外部から新たな獲物を集めやすく、高密度収容が可能となり、捕獲効率が良好となる。
【０００８】
本発明において、捕獲する動物は、魚介類が好ましく、アメリカザリガニが特に好ましい。
【０００９】
本発明に係る動物捕獲装置において、前記収容室は前記捕獲室の下部に隣接して設けられていることが好ましい。この場合、獲物に重力が働き、また、特に濁った水域では上部に比べて下部が暗くなるため、収容室に獲物をさらに集めやすい。
本発明に係る動物捕獲装置において、前記捕獲室は前記収容室の側部に隣接して設けられていてもよい。
【００１０】
本発明に係る動物捕獲装置は、前記捕獲室の内部に定期的に給餌する自動給餌装置を有することが好ましい。この場合、捕獲室の内部に餌がなくなり、捕獲室の獲物が収容室に移動したタイミングで定期的に給餌することが好ましい。それにより、自動的に収容室に獲物を集めることができ、給餌の省力化を図ることができる。
【００１１】
収容室が捕獲室の下部に隣接して設けられている場合には、自動給餌装置は捕獲室の上部から捕獲室内に給餌する構成を有し、収容口が捕獲室の下方に設けられていることが好ましい。この場合、餌に誘引された捕獲室内の獲物を重力で収容室内に収容しやすい。
【００１２】
本発明に係る動物捕獲装置において、前記捕獲室および前記収容室はネット状であって、前記進入口は内部側口径が外部側口径より小さく窄まったネット状の筒体から成り、前記収容口は収容室側口径が捕獲室側口径より小さく窄まったネット状の筒体から成り、水中に設置される。このため、アメリカザリガニを効率良く捕獲することができる。進入口および収容口は、横断面が細長いスリット状であってもよい。
【発明の効果】
【００１３】
本発明によれば、外部から新たな獲物を集めやすく、高密度収容が可能となり、捕獲効率が良好な動物捕獲装置を提供することができる。
【図面の簡単な説明】
【００１４】
【図１】本発明の実施の形態の動物捕獲装置の概略斜視図である。
【図２】本発明の他の実施の形態の動物捕獲装置の概略斜視図である。
【図３】アメリカザリガニの捕獲実験結果を示すグラフである。
【発明を実施するための形態】
【００１５】
以下、図面に基づき、本発明の実施の形態について説明する。
図１に示すように、動物捕獲装置は、アメリカザリガニを捕獲するためのものであり、捕獲部１０と隔離部２０と自動給餌装置３０とを有している。
【００１６】
捕獲部１０は、捕獲室１１と進入口１２とを有している。捕獲室１１は、全体が透光性の直方体状のカゴを透光性ネットで覆って成り、アメリカザリガニを収容可能な大きさを有している。進入口１２は、かえり網から成り、ロート状に内部側口１２ａの口径が外部側口１２ｂの口径より小さく窄まったネット状の筒体をなしている。進入口１２は、外部側口１２ｂが捕獲室１１の側面と同じ平面上に配置されて、捕獲室１１の側面に接続されている。内部側口１２ａは、捕獲室１１の内部に配置されている。進入口１２は、アメリカザリガニが外部から捕獲室１１に進入するのは容易であるが、外部へ脱出するのは阻止するようになっている。
【００１７】
隔離部２０は、収容室２１と収容口２２とを有している。収容室２１は、直方体状のカゴを遮光ネットで覆って成り、アメリカザリガニを収容可能な大きさを有している。収容室２１は、微細な穴を穿った多穴性板材で構成しても良い。収容室２１は、捕獲室１１の下部に隣接して固定されている。収容室２１の上面は、捕獲室１１の下面と共通であることが好ましい。収容口２２は、かえり網から成り、ロート状に収容室側口２２ａの口径が捕獲室側口２２ｂの口径より小さく窄まったネット状の筒体をなしている。収容口２２は、捕獲室側口２２ｂが収容室２１の上面と同じ平面上に配置されて、収容室２１の上面に接続されている。収容室側口２２ａは、収容室２１の内部に配置されている。収容口２２は、アメリカザリガニが捕獲室１１から収容室２１に進入するのは容易であるが、捕獲室１１へ後退するのは阻止するようになっている。
【００１８】
自動給餌装置３０は、給餌用パイプ３１により捕獲室１１の上面に接続され、給餌用パイプ３１を通して捕獲室１１の内部に定期的に給餌するようになっている。給餌用パイプ３１の下面には、ネットが設けられている。収容室側口２２ａは、給餌用パイプ３１の真下に配置されている。餌は、ペレット状のものが好ましく、例えばペットフードを用いることができる。給餌回数は、自由に設定可能であるが、１週間に１〜６回が好ましく、２日に１回が特に好ましい。自動給餌装置３０は、支柱３２または架台に固定されて水面上に配置される。
【００１９】
次に、作用について説明する。
動物捕獲装置を用いて、以下の方法でアメリカザリガニを捕獲する。
アメリカザリガニを駆除しようとする湖沼やため池などに動物捕獲装置を設置する。設置時期は、水温が１０℃以上となる４月から１１月頃が好ましい。
【００２０】
自動給餌装置３０により捕獲室１１に定期的に餌を入れ、進入口１２を通してアメリカザリガニを外部から捕獲室１１内に誘引する。アメリカザリガニは、餌に誘引されやすい性質を有する。捕獲室１１内に餌がなくなると、アメリカザリガニは暗い場所を好む習性をもつため、捕獲室１１内から内部が暗い収容室２１に移動する。給餌用パイプ３１の下面のネットにアメリカザリガニが取り付いた場合、ネットから離れたアメリカザリガニは重力で下方の収容口２２に落ちやすく、収容室２１内に収容しやすい。
【００２１】
設定した期間、例えば２日が経過すると、自動給餌装置３０は捕獲室１１に再び餌を入れ、外部から新たにアメリカザリガニを捕獲室１１内に誘引することができる。定期的な給餌により、自動的に収容室２１にアメリカザリガニを集めることができ、給餌の省力化を図ることができる。これを繰り返すことにより、外部から新たな獲物を集めることができ、高密度収容が可能となり、捕獲効率が良好となる。こうして、アメリカザリガニを効率良く捕獲することができる。
【００２２】
図２に示すように、動物捕獲装置において、捕獲室は収容室の側部に隣接して設けられていてもよい。この場合、動物捕獲装置は、捕獲部４０と隔離部５０と自動給餌装置６０とを有している。
【００２３】
捕獲部４０は、捕獲室４１と進入口４２とを有している。捕獲室４１は、全体が透光性の筒状のカゴの側面を透光性ネットで覆って成り、アメリカザリガニを収容可能な大きさを有している。進入口４２は、かえり網から成る。進入口４２は、外部側口４２ｂが捕獲室４１の端面周囲に接続されている。内部側口４２ａは、捕獲室４１の内部に配置されている。進入口４２は、アメリカザリガニが外部から捕獲室４１に進入するのは容易であるが、外部へ脱出するのは阻止するようになっている。
【００２４】
隔離部５０は、収容室５１と収容口５２とを有している。収容室５１は、捕獲室４１と同じ径の筒状のカゴの側面および一方の端面を遮光ネットで覆って成り、アメリカザリガニを収容可能な大きさを有している。収容室５１は、開放した端面周囲が捕獲室４１の進入口４２と反対側の端面周囲に接続されている。
【００２５】
収容口５２は、かえり網から成り、ロート状に収容室側口５２ａの口径が捕獲室側口５２ｂの口径より小さく窄まったネット状の筒体をなしている。収容口５２は、捕獲室側口５２ｂが収容室５１の端面周囲に接続されている。収容室側口５２ａは、収容室５１の内部に配置されている。収容口５２は、アメリカザリガニが捕獲室４１から収容室５１に進入するのは容易であるが、捕獲室４１へ後退するのは阻止するようになっている。
【００２６】
自動給餌装置６０は、給餌用パイプ６１により捕獲室４１の上面に接続され、給餌用パイプ６１を通して捕獲室４１の内部に定期的に給餌するようになっている。自動給餌装置６０は、支柱６２または架台に固定されて水面上に配置される。
【００２７】
［実験１］
図２に示す動物捕獲装置を用いて、アメリカザリガニの捕獲実験を行った。
動物捕獲装置をため池に６日間設置し、設置時と２日後と４日後の３回給餌を行った。
その結果、捕獲室４１で平均１０尾、収容室５１で平均７３尾、合計で平均８３尾のアメリカザリガニを捕獲することができた。
【００２８】
比較のため、図２に示す動物捕獲装置で、収容室５１に遮光ネットの代わりに透光性ネットを用い、収容口５２を取り除いたもの（比較例）を準備し、設置時にのみ給餌を行った。結果は、平均２２．５尾であった。
アメリカザリガニは餌に誘引されて捕獲室４１に進入するが、高密度になると進入尾数は減少する。収容室５１は遮光ネットで内部が暗いため、捕獲室４１に進入したアメリカザリガニは収容室５１へ移動する。これにより、高密度収容が可能になった。
【００２９】
［実験２］
（Ａ）図２に示す動物捕獲装置で捕獲室４１の長さを６０ｃｍ、収容室５１の長さを６０ｃｍとし、１００ｇの餌を設置時と２日後と５日後にそれぞれ給餌したもの、（Ｂ）（Ａ）の条件で収容室５１の長さを９０ｃｍとしたもの、（Ｃ）（Ｂ）の条件で収容室５１に遮光ネットの代わりに透光性ネットを用い、収容口５２を取り除いたもの、（Ｄ）（Ｃ）の条件で給餌しなかったものの４種類の条件で、アメリカザリガニの捕獲実験を行った。
（Ａ）〜（Ｄ）の各動物捕獲装置をため池に８日間設置した。
その結果、図３に示すように、収容室５１の長さを伸ばすことにより、捕獲数を増やすことができた。
【符号の説明】
【００３０】
１０，４０  捕獲部
１１，４１  捕獲室
１２，４２  進入口
１２ａ，４２ａ  内部側口
１２ｂ，４２ｂ  外部側口
２０，５０  隔離部
２１，５１  収容室
２２，５２  収容口
２２ａ，５２ａ  収容室側口
２２ｂ，５２ｂ  捕獲室側口
３０，６０  自動給餌装置
３１，６１  給餌用パイプ
３２，６２  支柱
【図１】
0006734512.tif 000002
【図２】
0006734512.tif 000003
【図３】
0006734512.tif 000004